(57)【特許請求の範囲】
【請求項１】
閉鎖時に突き合わされる一対の第１扉Ａ１と第２扉Ａ２のうちの第１扉Ａ１の内外面の何れかに後付可能な自動ロック装置Ｌ１であって、
自動ロック装置Ｌ１の第１ケース１内には、検知体２が設けてあり、検知体２の先端が第1ケース１の側面３に対して、第2扉A２に向けて進退可能に装備してあり、常時検知体２の先端が第１ケース１外に突出するように、バネ４により付勢してあり、第１ケース１内には、扉支持用固定枠Ｂの受け座１２に掛合するデッドボルト９が装備されており、デッドボルト９と一体の移動部材１１とリンク機構８を介して、前記デッドボルト９が、前記検知体２と一体の部材２ａに連結されており、
検知体２が第２扉Ａ２又は第２扉Ａ２と一体の突当部材１０に当接して、第１ケース１内に検知体２が没入したとき、前記デットボルト９が第１ケース１より突出して前記受け座１２に掛合する一方、検知体２が第２扉Ａ２又は前記突当部材１０より離反したとき、デッドボルト９が第１ケース１内に没入して前記受け座１２から抜去されるように、前記リンク機構８が構成されており、
前記移動部材１１にはラチェット爪支持体２０が固着してあり、ラチェット爪支持体２０の外端に固着されるラチェット爪２１は、第１ケース１の側面に固定される第２ケース２３内において上下動可能に配置されており、第２ケース２３内に装備されたラチェットラック２２は、常時押えバネ２６によってラチェット爪２１方向に付勢してあり、
前記デットボルト９が第１ケース１から突出する方向に移動するとき、前記ラチェット爪２１がラチェットラック２２の隣接する歯２２ａを乗り越え移動する一方、デットボルト９が第１ケース１内に没入しようとするとき、ラチェット爪２１がラチェットラック２２の歯２２ａに掛合して、デッドボルト９がその場に係止されるものであり、
前記第２ケース２３には、前記押えバネ２６の付勢に抗して前記ラチェット爪２１とラチェットラック２２の掛合を解くための解除押ボタン２４が装備されている両開き扉自動ロック装置。
【請求項２】
第２ケース２３は第１ケース１に着脱可能としてあり、前記ラチェットラック２２は、第２ケース２３を第１ケース１に固定したとき、前記ラチェット爪２１に噛合する位置に配置されており、前記ラチェット爪２１は、前記ラチェット爪支持体２０に対して着脱自在としてあることを特徴とする請求項１に記載の両開き扉自動ロック装置。
【発明の詳細な説明】
【０００１】
【発明の属する技術分野】
本発明は左右に両開きの一対の扉に、主として後付け使用される自動ロック装置に関するものである。
【０００２】
【従来の技術】
引戸型の一対の扉を相互に接近させて突き合わせたとき、扉支持用の固定枠に対して扉が自動的にロックされる自動ロック装置は、既に開発されており、特許第２８３４１１５号公報に開示されている。
この自動ロック装置は、図１に示した本発明の自動ロック装置の構成からラチェット支持体２０とラチェット爪２１などを除外したものに相当する。
すなわち、自動ロック装置Ｌ１の第１ケース１内には、第２扉Ａ２に向かって進退可能に検知体２が装備されており、検知体２はその先端が第１ケース１の外面３から常時突出するようにバネ４により付勢されており、第１ケース１内には、扉支持用固定枠Ｂの受け座１２に掛合するデッドボルト９が装備されており、デッドボルト９と一体の移動部材１１とリンク機構８を介して、前記デッドボルト９が、前記検知体２と一体の部材２ａに連結されており、
検知体２が第２扉Ａ２又は第２扉Ａ２と一体の突当部材１０に当接して、第１ケース１内に検知体２が没入したとき、前記デットボルト９が第１ケース１より突出して前記受け座１２に掛合する一方、検知体２が第２扉Ａ２又は前記突当部材１０より離反したとき、デッドボルト９が第１ケース１内に没入して前記受け座１２から抜去されるように、前記リンク機構８が構成されている。
【０００３】
この従来型の自動ロック装置は、一方の第１扉Ａ１に他方の第２扉Ａ２を単に閉じ合わせるだけで、第１扉Ａ１も自動ロックでき、相互に離反すれば第１扉Ａ１と第２扉Ａ２がそれぞれ開放可能状態となるため、すこぶる便利であり、それなりの成果を収めている。
【０００４】
【発明が解決しようとする課題】
しかしながら、需要者においては、単に一人一人の出入や小さな荷物を手持ちしているときは、片方だけの扉が開き、他方はロックが継続している方が都合のよい場合もあり、また、大きな荷物の出入時、或いは工場などにおいては車輛の出入時に左右に大きく開ける必要もある。
本発明はこれら二つの使用目的に合致させて、片方の扉だけをロックする使用形態と、両側の扉を開放可能とする使用形態を簡単な操作で選択できる自動ロック装置を提供するものである。
【０００５】
【課題を解決するための手段】
本発明がベースとした自動ロック装置Ｌ１は、閉鎖時に突き合わされる一対の第１扉Ａ１と第２扉Ａ２のうちの第１扉Ａ１の内外面の何れかに後付可能なものであって、
自動ロック装置Ｌ１の第１ケース１内には、検知体２が設けてあり、検知体２の先端が第1ケース１の側面３に対して、第２扉Ａ２に向けて進退可能に装備してあり、常時検知体２の先端が第1ケース１外に突出するように、バネ４により付勢してあり、第１ケース１内には、扉支持用固定枠Ｂの受け座１２に掛合するデッドボルト９が装備されており、デッドボルト９と一体の移動部材１１とリンク機構８を介して、前記デッドボルト９が、前記検知体２と一体の部材２ａに連結されており、
検知体２が第２扉Ａ２又は第２扉Ａ２と一体の突当部材１０に当接して、第１ケース１内に検知体２が没入したとき、前記デットボルト９が第１ケース１より突出して前記受け座１２に掛合する一方、検知体２が第２扉Ａ２又は前記突当部材１０より離反したとき、デッドボルト９が第１ケース１内に没入して前記受け座１２から抜去されるように、前記リンク機構８が構成されている。
【０００６】
請求項１の発明においては、前記移動部材１１にはラチェット爪支持体２０が固着してあり、ラチェット爪支持体２０の外端に固着されるラチェット爪２１は、第１ケース１の側面に固定される第２ケース２３内において上下動可能に配置されており、第２ケース２３内に装備されたラチェットラック２２は、常時押えバネ２６によってラチェット爪２１方向に付勢してあり、
前記デットボルト９が第１ケース１から突出する方向に移動するとき、前記ラチェット爪２１がラチェットラック２２の隣接する歯２２ａを乗り越え移動する一方、デットボルト９が第１ケース１内に没入しようとするとき、ラチェット爪２１がラチェットラック２２の歯２２ａに掛合して、デッドボルト９がその場に係止されるものであり、前記第２ケース２３には、前記バネ２６の付勢に抗して前記ラチェット爪２１とラチェットラック２２の掛合を解くための解除押ボタン２４が装備されている。
【０００７】
請求項２の発明においては、第２ケース２３は第１ケース１に着脱可能としてあり、前記ラチェットラック２２は、第２ケース２３を第１ケース１に固定したとき、前記ラチェット爪２１に噛合する位置に配置されており、前記ラチェット爪２１は、前記ラチェット爪支持体２０に対して着脱自在としてある。
【０００８】
【発明の作用】
請求項１の発明においては、第１扉Ａ１と第２扉Ａ２が共に閉じているとき、第１扉Ａ１に取り付けた自動ロック装置Ｌ１の検知体２は、第２扉Ａ２に設けた突当部材１０によって第１ケース１内に押し込まれており、第１ケース１内のリンク機構８を介して駆動されたデッドボルト９は、第１ケース１から突出して扉支持用固定枠Ｂの受け座１２に嵌り込んでおり、これによって第１扉Ａ１は固定枠Ｂにロックされている。
通常この状態で第２扉Ａ２のハンドル（図示してない）から手を離すことによって、第２扉Ａ２もロックされた状態となる。
【０００９】
次に第２扉Ａ２を開くと、第１扉Ａ１の検知体２から第２扉Ａ２が離れるため、検知体２がバネ４の付勢によって第１ケース１外に突出しようとし、同時にデッドボルト９がリンク機構８を介して受け座１２から脱出する方向に移動しようとするが、デットボルト９と一体の移動部材１１が、ラチェット爪２１とラチェットラック２２の掛合によって移動を阻止された状態にあるから、結局デッドボルト９は図１において上方に移動できず、第１扉Ａ１はデットボルト９によってロックされた状態に維持される。つまり第２扉Ａ２のみが開閉可能な状態となる。
【００１０】
次に第１扉Ａ１のロックを解除するには、解除押ボタン２４をバネ２６の付勢に抗して第２ケース２３内に押し込む。この押し込みによってラチェット爪２１とラチェットラック２２の掛合が外れるため、デットボルト９と移動部材１１及びラチェット爪支持体２０は、前記バネ４の復元力により上方に復帰し、デットボルト９は受け座１２から外れて第１ケース１内に没入し、第１扉Ａ１も自由に開閉できる状態となる。
【００１１】
請求項２の発明においては、ラチェット支持体２０にラチェット爪２１を接合した後、解除押ボタン２４を押しながらラチェット爪２１を第２ケース２３内に挿入して、ラチェット爪２１をラチェットラック２２に掛合させ、第２ケース２３を第１ケース１に固定すると、請求項１の発明と同じ作用をなす。
【００１２】
【発明の実施の形態】
実施の形態１
すべての請求項の発明を含み、図１、図２、図３、図４に示すものである。一対の第１扉Ａ１、第２扉Ａ２は両開き引戸型のものであり、端面が相互に突き合わされて閉鎖される。
先ず第１ケース１について説明する。既に前提条件及び課題を解決するための手段の項において概要を説明したが、今少し詳しく図１と図４に基づいて説明する。
【００１３】
第１扉Ａ１の通常内面にボルトなどで強固に後付可能な第１ケース１内の上部には、水平方向に往復移動可能な検知体２が装備され、検知体２の先端は第１ケース１の側面３の開口１ａから出没自在であり、検知体２は前記第１ケース１の水平ガイド溝１ａ内にある。検知体２に固定された部材２ａは、バネ４によって押されている。前記部材２ａは、第１ケース１に一端を枢着されたレバー５の中間にジョイントしてあり、前記レバー５の先端は、第１ケース１に基点を枢着されたベルクランク６の一方の腕６ａの先端にジョイントしてある。
【００１４】
ベルクランク６の他方の腕６ｂの先端は、デットボルト９と一体の移動部材１１の上端部分にジョイントしてあり、デットボルト９は、検知体２の出没と逆相関によって、固定枠Ｂの受け座１２に対して上下に移動するようにしてある。デットボルト９の中間には緩衝バネ１３を介在させてある。
【００１５】
図１において、リンク機構８の第１ケース１と枢着されている各枢軸は黒丸で示し、移動するジョイント部は白丸で表示した。また各ジョイント部分は作動に無理が生じないように、それぞれ長孔で他方のリンクに固定した枢軸を受けている。
第１ケース１は通常丈夫なダイキャスト製品であるが、強度さえ充分であればエンジニアリングプラスチック成形品であってもよい。以上までの実施の形態は公知の部分と同様である。
【００１６】
本発明の実施の形態においては、アタッチメントとして、次の構成を有する。
デットボルト９と一体に上下動する移動部材１１にはラチェット爪支持体２０が装備してある。図１においては、ラチェット爪支持体２０横棒一本で示してあるが現実には一塊のブロックとなるものである。ラチェット支持体２０の先端は、第１ケース１の他方の側面３ａに設けた縦方向のスリット１ｂに臨ませてあり、ラチェット爪支持体２０の先端にラチェット爪２１が着脱自在に固着してある。従って、ラチェット爪２１は第１ケース１の外側に位置することになる。
このラチェット爪２１は前記デットボルト９、移動部材１１及びラチェット爪支持体２０と共に上下動する。
【００１７】
第２ケース２３は、第１ケース１の前記側面３ａにボルトなどで後付できるようにしてあり、この第２ケース２３の中には、ラチェット爪２１と掛合する上下方向に真直なラチェットラック２２が設けてある。ラチェットラック２２は常時ラチェット爪２１と掛合するようにバネ２６によって側面に押し付けられている。
従って、ラチェットラック２２は第２ケース２３内において、水平方向（ラチェットラック２２の歯２２ａの高さ方向）に移動できるように、第２ケース２３のガイド２８に摺動自在に設けてある。
【００１８】
このラチェットラック２２には水平ピン２９に枢着された解除押ボタン２４が設けてあり、僅かに傾動できる。解除ボタン２４を前記バネ２６に抗して押し込み、解除押ボタン２４の先端部の係止段部２７を第２ケース２３の縁部３０に掛合すれば、ラチェットラック２２は完全にラチェット爪２１から離反された状態となる。  この実施の形態１においては、請求項１、２の各発明の作用を併せ持っている。
【００１９】
実施形態２
実施の形態１の第１ケース１及び第２ケース２３が単一のケース（図示してない）内に納められ、また前記ラチェットラック２２及び前記バネ２６並びに解除押ボタン２４も同ケース内に納められ、解除押ボタン２４の先端はこの第１ケース１から外方に突出させてある。
実施形態１及び２においては、ラチェットラック２２がラチェット爪２１と掛合させれば、第２扉Ａ２を開けても第１扉Ａ１のデットボルト９は外れず、解除押ボタンを押して、初めて第１扉Ａ１は開けられる。
また最初から解除押ボタン２４を押し込んだ状態とし、これを若干傾斜させてその状態を維持させておけば、第２扉Ａ２を開ければ、第１扉Ａ１も同時にロックが外れることになる。
【００２０】
実施の形態３
第１扉Ａ１及び第２扉Ａ２は引戸型ではなく、図５に示すように観音扉型であり、第２扉Ａ２に固定した突当部材１０の先端部を傾斜カム１０ａとし、この傾斜カム１０ａによって、第１扉Ａ１の検知体２を後退させるようにしてある。その他の構成は、実施の形態１又は２と同じである。
この実施の形態３においては傾斜カム１０ａと検知体２との運動方向が直交するから、検知体２に摩擦軽減用のコロ２ｂが取り付けてある。
【００２１】
【発明の効果】
上記のように構成された請求項１の発明においては、第２扉Ａ２を第１扉Ａ１に閉じ合わせると、検知体２の後退により、リンク機構を介してデットボルト９が扉支持用固定枠Ｂの受け座１１に掛合するため、第１扉Ａ１が固定枠Ｂに対してロックされる。
ここで、第２扉Ａ２を第１扉Ａ１から離反させると、ラチェット爪２１がラチェットラック２２と掛合しているため、デットボルト９は前記受け座１２から抜去できず、第１扉Ａ１がロック状態に維持されて、第２扉Ａ２のみから出入りがなされる。
第２扉Ａ２の開放状態において、解除押ボタン２０をバネ２６の付勢に抗して第２ケース２内に押し込むと、ラチェット爪２１とラチェットラック２２の掛合が外れるため、デットボルト９が第１ケース１内に没入可能となり、第１扉Ａ１も開放することができる。  すなわち、一対の扉のうち第２扉Ａ２が開放されて第１扉Ａ１が閉鎖位置にロックされている使用形態と、第１扉Ａ１と第２扉Ａ２の両方が開放される使用形態を、解除押ボタン２４の簡単な操作によって任意に切換え選択することができる。
【００２２】
請求項２の発明においては、第１扉Ａ１に従来型の自動ロック装置Ｌ１が既に設置されている場合には、当該既設の従来型自動ロック装置Ｌ１の移動部材１１に固着されているラチェット爪支持体２０に対して、ラチェット爪２１を接合した後、解除押ボタン２４を押しながらラチェット爪２１を第２ケース２３内に挿入して、ラチェット爪２１をラチェットラック２２に掛合させ、最後に第２ケース２３を当該既設の従来型自動ロック装置Ｌ１の第１ケース１に対して固定することによって、当該既設の従来型自動ロック装置Ｌ１を、第１扉Ａ１をロック状態に留め置くことができる請求項１の発明の自動ロック装置Ｌ１に転換することができる。
【図面の簡単な説明】
【図１】本発明の一実施例に係る両開き扉自動ロック装置の機構図的な側面図である。
【図２】図１の両開き扉自動ロック装置における第２ケースの内部機構のロック状態を示す正面図である。
【図３】図１の両開き扉自動ロック装置における第２ケースの内部機構のロック解除状態を示す正面図である。
【図４】図１の両開き扉自動ロック装置を一対の扉が引戸型であるものに適用した場合の一部平面図である。
【図５】図１の両開き扉自動ロック装置一対の扉が観音扉開き型であるものに適用した場合の一部平面図である。
【符号の説明】
Ａ１    第１扉
Ａ２    第２扉
Ｂ    扉支持用固定枠
１    第１ケース
２    検知体
２ａ    検知体と一体の部材
２ｂ    コロ
３    第１ケースの側面
４    検知体付勢用バネ
５    レバー
６    ベルクランク
７    摺動棒
８    リンク機構
９    デットボルト
１０    突当部材
１０ａ    傾斜カム
１１    デッドボルトと一体の移動部材
１２    受け座
１３    緩衝バネ
２０    ラチェット爪支持体
２１    ラチェット爪
２２    ラチェットラック
２３    第２ケース
２４    解除押ボタン
２６    ラチェットラックの付勢用バネ
２８    ガイド
２９    水平ピン
【図１】
0003545675.tif 000002
【図２】
0003545675.tif 000003
【図３】
0003545675.tif 000004
【図４】
0003545675.tif 000005
【図５】
0003545675.tif 000006